(57)【要約】【課題】複数のアンテナを適正な位置に容易に調整することができる無線通信端末を実現する。【解決手段】アンテナ受信感度の表示に用いる画面表示部８とアンテナ１−１，２の各々の受信電界強度を受信部＃１＿４，＃２＿４を介して検出する受信制御部６と、アンテナ１−１，２の各々の実装位置に対応させて、全てのアンテナの受信電界強度に基づく各々のアンテナ受信感度を画面表示部８により表示する制御部７とを備える。【選択図】　　図１
2004128735.tif 000002
【特許請求の範囲】
【請求項１】
複数のアンテナを備え、ダイバーシチ方式により無線信号を受信する無線通信端末において、
アンテナ受信感度の表示に用いる表示手段と、
前記アンテナの各々の受信電界強度を検出する電界強度検出手段と、
前記アンテナの各々の実装位置に対応させて、前記検出した受信電界強度に基づくアンテナ受信感度を前記表示手段により表示する表示制御手段と、
を備えたことを特徴とする無線通信端末。
【請求項２】
前記電界強度検出手段は、前記アンテナの受信信号が合成された後の受信電界強度を検出し、
前記表示制御手段は、該合成後の受信電界強度に基づくアンテナ受信感度を前記表示手段により表示することを特徴とする請求項１に記載の無線通信端末。
【請求項３】
前記表示制御手段は、前記合成後の受信電界強度に基づくアンテナ受信感度を、前記アンテナの受信電界強度に基づく表示に対して中間の位置に表示することを特徴とする請求項２に記載の無線通信端末。
【請求項４】
前記表示制御手段は、前記アンテナの各々の受信電界強度について所定の閾値以上の低下を検出し、この検出によりアンテナ受信感度の表示を該検出時点の直前の表示内容で一定期間維持することを特徴とする請求項１乃至請求項３のいずれかの項に記載の無線通信端末。
【請求項５】
複数のアンテナを備えてダイバーシチ方式により無線信号を受信する無線通信端末が装着されるコンピュータにおいて、アンテナ受信感度表示処理を行うためのプログラムであって、
前記アンテナの各々の受信電界強度信号を前記無線通信端末から受信する処理と、
前記アンテナの各々の前記無線通信端末上の実装位置に対応させて、前記受信した受信電界強度に基づくアンテナ受信感度を前記コンピュータの画面に表示する処理と、
をコンピュータに実行させることを特徴とするアンテナ受信感度表示プログラム。
【請求項６】
前記アンテナの受信信号が合成された後の受信電界強度信号を前記無線通信端末から受信する処理と、
該合成後の受信電界強度に基づくアンテナ受信感度を前記コンピュータの画面に表示する処理と、
をコンピュータに実行させることを特徴とする請求項５に記載のアンテナ受信感度表示プログラム。
【請求項７】
前記合成後の受信電界強度に基づくアンテナ受信感度を、前記アンテナの受信電界強度に基づく表示に対して中間の位置に表示する処理をコンピュータに実行させることを特徴とする請求項６に記載のアンテナ受信感度表示プログラム。
【請求項８】
前記無線通信端末の装着位置の設定を受け付ける処理と、
該設定された装着位置に対応する前記コンピュータ画面内の位置を前記アンテナ受信感度の表示位置に選択する処理と、
をコンピュータに実行させることを特徴とする請求項５乃至請求項７のいずれかの項に記載のアンテナ受信感度表示プログラム。
【請求項９】
前記アンテナの各々の受信電界強度について所定の閾値以上の低下を検出する処理と、
この検出によりアンテナ受信感度の表示を該検出時点の直前の表示内容で一定期間維持する処理と、
をコンピュータに実行させることを特徴とする請求項５乃至請求項８のいずれかの項に記載のアンテナ受信感度表示プログラム。
【発明の詳細な説明】
【０００１】
【発明の属する技術分野】
本発明は、複数のアンテナを備えてダイバーシチ方式により、無線信号を受信する無線通信端末に係り、特に、そのアンテナ受信感度を表示する無線通信端末及びアンテナ受信感度表示プログラムに関する。
【０００２】
【従来の技術】
従来のダイバーシチ方式の無線機は、複数のアンテナと各アンテナに対応する受信回路を備え、各アンテナの受信信号を適応的に切替えあるいは合成して実際に使用する受信信号を得る。そして、各アンテナで受信される電界強度をそれぞれの受信回路を介して検出し、受信電界強度の最も高いアンテナの受信電界強度に基づいてアンテナ受信感度を表示している（例えば、特許文献１参照）。
【０００３】
【特許文献１】
特開平８−２２３０９７号公報
【０００４】
【発明が解決しようとする課題】
しかし、上述した従来のアンテナ受信感度表示では、複数のアンテナの受信電界強度のうち、単に一つのアンテナで現在得られる最高の受信電界強度しか分からず、アンテナ毎の受信電界強度を把握することができない。このため、各アンテナを適正な位置に調整することが難しいという問題がある。
【０００５】
また、可搬型パーソナルコンピュータ（ノート型ＰＣ）やＰＤＡ（Ｐｅｒｓｏｎａｌ　Ｄｉｇｉｔａｌ　Ａｓｓｉｓｔａｎｔｓ：個人用情報機器）などのコンピュータに装着されて、無線データ通信を行うＰＣカード型無線通信端末においては、表示装置を備えていないので、アンテナ受信感度を表示することができない。このため、ＰＣカード型無線通信端末が装着されているコンピュータ側で、アンテナ受信感度を表示することが要望されている。
【０００６】
本発明は、このような事情を考慮してなされたもので、その目的は、複数のアンテナを適正な位置に容易に調整することができる無線通信端末を提供することにある。
【０００７】
また、本発明は、ＰＣカード等の無線通信端末が装着されるコンピュータにおいて、アンテナ受信感度の表示を実現するアンテナ受信感度表示プログラムを提供することも目的とする。
【０００８】
【課題を解決するための手段】
上記の課題を解決するために、請求項１に記載の無線通信端末は、複数のアンテナを備え、ダイバーシチ方式により無線信号を受信する無線通信端末において、アンテナ受信感度の表示に用いる表示手段と、前記アンテナの各々の受信電界強度を検出する電界強度検出手段と、前記アンテナの各々の実装位置に対応させて、前記検出した受信電界強度に基づくアンテナ受信感度を前記表示手段により表示する表示制御手段とを備えたことを特徴としている。
【０００９】
請求項２に記載の無線通信端末においては、前記電界強度検出手段は、前記アンテナの受信信号が合成された後の受信電界強度を検出し、前記表示制御手段は、該合成後の受信電界強度に基づくアンテナ受信感度を前記表示手段により表示することを特徴とする。
【００１０】
請求項３に記載の無線通信端末においては、前記表示制御手段は、前記合成後の受信電界強度に基づくアンテナ受信感度を、前記アンテナの受信電界強度に基づく表示に対して中間の位置に表示することを特徴とする。
【００１１】
請求項４に記載の無線通信端末においては、前記表示制御手段は、前記アンテナの各々の受信電界強度について所定の閾値以上の低下を検出し、この検出によりアンテナ受信感度の表示を該検出時点の直前の表示内容で一定期間維持することを特徴とする。
【００１２】
上記の課題を解決するために、請求項５に記載のアンテナ受信感度表示プログラムは、複数のアンテナを備えてダイバーシチ方式により無線信号を受信する無線通信端末が装着されるコンピュータにおいて、アンテナ受信感度表示処理を行うためのプログラムであって、前記アンテナの各々の受信電界強度信号を前記無線通信端末から受信する処理と、前記アンテナの各々の前記無線通信端末上の実装位置に対応させて、前記受信した受信電界強度に基づくアンテナ受信感度を前記コンピュータの画面に表示する処理とをコンピュータに実行させることを特徴としている。
【００１３】
請求項６に記載のアンテナ受信感度表示プログラムにおいては、前記アンテナの受信信号が合成された後の受信電界強度信号を前記無線通信端末から受信する処理と、該合成後の受信電界強度に基づくアンテナ受信感度を前記コンピュータの画面に表示する処理とをコンピュータに実行させることを特徴とする。
【００１４】
請求項７に記載のアンテナ受信感度表示プログラムにおいては、前記合成後の受信電界強度に基づくアンテナ受信感度を、前記アンテナの受信電界強度に基づく表示に対して中間の位置に表示する処理をコンピュータに実行させることを特徴とする。
【００１５】
請求項８に記載のアンテナ受信感度表示プログラムにおいては、前記無線通信端末の装着位置の設定を受け付ける処理と、該設定された装着位置に対応する前記コンピュータ画面内の位置を前記アンテナ受信感度の表示位置に選択する処理とをコンピュータに実行させることを特徴とする。
【００１６】
請求項９に記載のアンテナ受信感度表示プログラムにおいては、前記アンテナの各々の受信電界強度について所定の閾値以上の低下を検出する処理と、この検出によりアンテナ受信感度の表示を該検出時点の直前の表示内容で一定期間維持する処理とをコンピュータに実行させることを特徴とする。
【００１７】
【発明の実施の形態】
以下、図面を参照し、本発明の実施形態について説明する。
図１は、本発明の一実施形態による無線通信端末１００の構成を示すブロック図である。図２，図３は、同実施形態による無線通信端末１００の外観図であって、図２は正面図、図３は側面図である。この無線通信端末１００は、例えばデータ通信用モデムである。
【００１８】
無線通信端末１００は二つのアンテナ１−１，２を備えている。アンテナ１−１，２は、図２，図３に示すように、アンテナの長さと向きが可変な構造となっている。図１において、アンテナ１−１はスイッチ２を介して送信部３と受信部＃１＿４に接続される。無線信号の送信時にはスイッチ２を介して送信部３からアンテナ１−１へ送信信号が出力される。一方、無線信号の受信時にはスイッチ２を介してアンテナ１−１から受信部＃１＿４へ受信信号が出力される。アンテナ１−２は受信部＃２＿４に接続されている。
【００１９】
送信制御部５は無線通信における送信を制御する。送信制御部５は、制御部７から送信データを受け取り送信制御部５へ出力し、送信部３の動作を制御する。受信部＃１＿４は、アンテナ１−１から受信した受信信号を受信制御部６へ出力する。また、アンテナ１−１の受信電界強度を定期的に検出してレジスタに保持する。受信部＃２＿４は、アンテナ１−２から受信した受信信号を受信制御部６へ出力する。また、アンテナ１−２の受信電界強度を定期的に検出してレジスタに保持する。
【００２０】
受信制御部６はダイバーシチ方式により無線通信における受信を制御する。受信制御部６は、受信部＃１＿４及び＃２＿４のレジスタをリードすることによってアンテナ１−１及び１−２の受信電界強度を取得する。そして、これら受信電界強度に基づいて、各アンテナ１−１，２の受信信号を適応的に切替えあるいは合成して実際に使用する受信信号を得る。そして、この受信信号から受信データを求めて制御部７へ出力する。また、各アンテナ１−１，２の受信信号の合成後の受信電界強度を定期的に検出してレジスタに保持する。
【００２１】
制御部７は回路各部を制御する。制御部７は、キー入力部９で入力されたデータを受け取る。また、外部インタフェース１０を介して接続されるパーソナルコンピュータ（ＰＣ）２００との間で、無線通信するデータを送受する。制御部７は、その機能の一つとしてアンテナ受信感度の表示を制御する。制御部７は、受信制御部６からアンテナ１−１及び１−２の各々の受信電界強度を取得し、これら受信電界強度に基づく各々のアンテナ受信感度を画面表示部８に表示する。また、受信制御部６のレジスタをリードしてアンテナ１−１及び１−２の受信信号の合成後の受信電界強度を取得し、この受信電界強度に基づくアンテナ受信感度を画面表示部８に表示する。
【００２２】
図４は、画面表示部８のアンテナ受信感度の表示画面の構成例を示す図である。図４の例では、アンテナ受信感度を横棒の長さと数により視認しやすいように表示している。また、アンテナ１−１，２の各々の実装位置に対応させて該当するアンテナ受信感度を表示している。図２に示すようにアンテナ１−１は無線通信端末１００の左側面に実装されているので、アンテナ１−１のアンテナ受信感度は画面表示部８の左端に表示する（図４の「Ｌ」で表示位置が示されている）。同様に、アンテナ１−２は無線通信端末１００の右側面に実装されているので、アンテナ１−２のアンテナ受信感度は画面表示部８の右端に表示する（図４の「Ｒ」で表示位置が示されている）。このようにアンテナ１−１，２の各々のアンテナ受信感度がアンテナ１−１，２の実装位置にそれぞれ対応して表示されるので、いずれのアンテナの位置を調整すればよいのかが一目瞭然で把握できる。
【００２３】
また、アンテナ１−１及び１−２の受信信号の合成後の受信電界強度に基づくアンテナ受信感度が、アンテナ１−１，２のアンテナ受信感度の表示に対して中間の位置に表示されている（図４の「ＭＩＸ」で表示位置が示されている）。このように合成後のアンテナ受信感度がアンテナ１−１，２のアンテナ受信感度の表示の間にあるので、合成後のアンテナ受信感度を容易に把握できる。
【００２４】
図４（ａ）にはアンテナ１−１，２ともに感度最大（レベル４）の時の表示例が示されており、この時の合成後のアンテナ受信感度は最大である。図４（ｂ）にはアンテナ１−１が感度小（レベル１）であり、且つアンテナ１−２が感度最大（レベル４）である時の表示例が示されており、この時の合成後のアンテナ受信感度は最大である。図４（ｃ）にはアンテナ１−１が感度大（レベル３）であり、且つアンテナ１−２が感度小（レベル１）である時の表示例が示されており、この時の合成後のアンテナ受信感度は小である。
【００２５】
次に、図５を参照して、上述した無線通信端末１００のアンテナ受信感度表示に係る動作を説明する。図５は、図２に示す制御部７（表示制御手段）が行うアンテナ受信感度表示処理の流れを示すフローチャートである。
先ず、制御部７は、各アンテナ１−１，２の受信電界強度をそれぞれの受信部＃１＿４，＃２＿４及び受信制御部６を介して検出する（ステップＳ１）。また、アンテナ１−１及び１−２の受信信号の合成後の受信電界強度を受信制御部６を介して検出する（ステップＳ２）。
【００２６】
次いで、制御部７は、アンテナ１−１，２の各々の受信電界強度について所定の閾値以上の低下があるか否かを判断する（ステップＳ３）。これにより、所定の閾値以上の低下を検出した場合は、画面表示部８のアンテナ受信感度の表示を該検出時点の直前の表示内容で一定期間維持する（ステップＳ４）。例えば、タイマを作動させ、タイムアウトするまで画面表示部８の表示内容を更新しないようにする。
【００２７】
一方、所定の閾値以上の低下を検出しなかった場合には、画面表示部８のアンテナ受信感度の表示内容を最新の受信電界強度に基づいて更新する（ステップＳ５）。
【００２８】
利用者がアンテナの位置調整のためにアンテナに触れると、受信感度が一時的に急激に低下する。この急激な感度低下をそのまま表示してしまうと、利用者が混乱する虞がある。そこで、上記のように閾値によりその受信感度の急激な低下を検出してアンテナ受信感度の表示を低下直前の表示内容で一定期間維持することにより、受信感度の表示が不安定になることを防止し、これによりアンテナの位置調整を円滑に行うことができるという効果が得られる。
【００２９】
上述した実施形態によれば、利用者は画面表示により全てのアンテナの受信感度を把握することができるので、その表示を見ながらそれぞれのアンテナを適正な位置に容易に調整することが可能となる。
【００３０】
次に、表示装置を備えていないＰＣカード型無線通信端末のアンテナ受信感度を表示する実施形態を説明する。
図６はこの実施形態のハードウエア構成を示す外観図である。図６に示すように、ノート型ＰＣ２１０はＰＣカードを装着するためのスロット２１１を備えており、該スロット２１１にＰＣカード型無線通信端末１１０を装着して無線データ通信を行うことが可能である。ＰＣカード型無線通信端末１１０は、上記図１に示す無線通信端末１００の構成から画面表示部８とキー入力部９を省いた構成となっている。なお、外部インタフェース１０はＰＣカードインタフェースである。
【００３１】
ＰＣカード型無線通信端末１１０の制御部７は、外部インタフェース１０により、アンテナ１−１及び１−２の各々の受信電界強度信号と、アンテナ１−１及び１−２の受信信号が合成された後の受信電界強度信号をノート型ＰＣ２１０へ送信する。
ノート型ＰＣ２１０には、アンテナ受信感度表示プログラムが組み込まれており、このアンテナ受信感度表示プログラムをノート型ＰＣ２１０のＣＰＵが実行することによってアンテナ受信感度表示機能が実現される。このアンテナ受信感度表示機能によりノート型ＰＣ２１０は、ＰＣカード型無線通信端末１１０から、アンテナ１−１及び１−２の各々の受信電界強度信号と、アンテナ１−１及び１−２の受信信号が合成された後の受信電界強度信号を受信し、各受信電界強度に基づくアンテナ受信感度を画面２１２に表示する。
【００３２】
アンテナ受信感度表示プログラムによるアンテナ受信感度表示機能は、上述した図２に示す無線通信端末１００と同等の機能であるが、さらに、アンテナ受信感度の表示画面を、ＰＣカード型無線通信端末１１０の装着位置に対応するノート型ＰＣ２１０の画面２１２内の任意の位置に表示する機能を有する。具体的な処理内容としては、利用者がＰＣカード型無線通信端末１１０の装着位置をキー入力により設定すると、この装着位置の設定を受け付け、該設定された装着位置に対応する画面２１２内の位置をアンテナ受信感度の表示位置に選択する。
【００３３】
図７は、図６に示すノート型ＰＣ２１０のスロット２１１にＰＣカード型無線通信端末１１０を装着した時の該装着部分の外観図である。図８は、図６に示すノート型ＰＣ２１０の画面２１２に表示されている、ＰＣカード型無線通信端末１１０のアンテナ受信感度の表示例を示す図である。
図７に示すように、ＰＣカード型無線通信端末１１０はノート型ＰＣ２１０の右側に装着されている。そして、図８に示すように、アンテナ受信感度の表示画面２２０は、ノート型ＰＣ２１０の画面２１２内の右下部分に表示されている。この右下部分へのアンテナ受信感度の表示は、ＰＣカード型無線通信端末１１０がノート型ＰＣ２１０の右側に装着されていることを利用者が設定することにより成される。このように、ＰＣカード型無線通信端末１１０の装着位置に対応する画面２１２内の位置にアンテナ受信感度を表示するので、アンテナとの対応が取りやすく、アンテナの位置調整の作業性が向上する。
【００３４】
なお、ＰＣカード型無線通信端末１１０におけるアンテナ１−１と１−２の実装位置は、予めアンテナ受信感度表示プログラムに設定されている。そして、この設定に基づいて、図８のアンテナ受信感度の表示画面２２０内のアンテナ１−１の受信感度（「ＡＮＴ１」で示されている）の表示位置（上側の位置）と、アンテナ１−２の受信感度（「ＡＮＴ２」で示されている）の表示位置（下側の位置）とが選択されている。また、アンテナ１−１及び１−２の受信信号が合成された後の受信感度（「ＭＩＸ」で示されている）は、アンテナ１−１の表示とアンテナ１−２の表示の間に表示されている。
【００３５】
上述したように、アンテナ受信感度表示プログラムにより、ＰＣカード型無線通信端末が装着されるコンピュータにおいて、アンテナ受信感度の表示を実現することが可能となる。
【００３６】
以上、本発明の実施形態を図面を参照して詳述してきたが、具体的な構成はこの実施形態に限られるものではなく、本発明の要旨を逸脱しない範囲の設計変更等も含まれる。例えば、アンテナの数は２本に限られることなく３本以上であってもよい。
【００３７】
【発明の効果】
以上説明したように、本発明によれば、全てのアンテナのアンテナ受信感度がアンテナの各々の実装位置に対応するように表示されるので、利用者は現在位置調整しているアンテナの受信感度を容易に視認することができ、それぞれのアンテナを適正な位置に容易に調整することができる。
【００３８】
請求項２に記載の発明によれば、アンテナの受信信号が合成された後の受信電界強度に基づくアンテナ受信感度が表示されるので、総合的に適正なアンテナ位置を簡単に判断することができる。
【００３９】
請求項３に記載の発明によれば、該受信信号合成後のアンテナ受信感度がアンテナの各々の受信感度の表示に対して中間の位置に表示されるので、該合成後のアンテナ受信感度を容易に視認でき、作業性が向上する。
【００４０】
請求項４に記載の発明によれば、受信電界強度の所定閾値以上の低下によりアンテナ受信感度の表示が一定期間維持されるので、位置調整のために利用者がアンテナに触り受信感度が一時的に低下した際に、受信感度の表示が不安定になることを防止し、これによりアンテナの位置調整を円滑に行うことができるという効果が得られる。
【００４１】
請求項５に記載の発明によれば、ＰＣカード等の無線通信端末が装着されるコンピュータにおいて、アンテナ受信感度の表示を実現することができる。
【００４２】
請求項８に記載の発明によれば、コンピュータに装着されている無線通信端末の装着位置に対応する画面内の位置に、アンテナ受信感度が表示されるので、アンテナとの対応が取りやすく、アンテナの位置調整の作業性が向上する。
【図面の簡単な説明】
【図１】本発明の一実施形態による無線通信端末１００の構成を示すブロック図である。
【図２】無線通信端末１００の正面図である。
【図３】無線通信端末１００の側面図である。
【図４】アンテナ受信感度の表示画面の構成例を示す図である。
【図５】図２に示す制御部７が行うアンテナ受信感度表示処理の流れを示すフローチャートである。
【図６】本発明の他の実施形態のハードウエア構成を示す外観図である。
【図７】図６に示すノート型ＰＣ２１０にＰＣカード型無線通信端末１１０を装着した時の該装着部分の外観図である。
【図８】図６に示すノート型ＰＣ２１０の画面２１２に表示されている、アンテナ受信感度の表示例を示す図である。
【符号の説明】
１−１，１−２…アンテナ、２…スイッチ、３…送信部、４…受信部、５…送信制御部、６…受信制御部、７…制御部、８…画面表示部、９…キー入力部、１０…外部インタフェース、１００…無線通信端末、１１０…ＰＣカード型無線通信端末、２００，２１０…パーソナルコンピュータ（ＰＣ）、２１１…スロット、２２０…ＰＣ表示画面部
【図１】
2004128735.tif 000003
【図２】
2004128735.tif 000004
【図３】
2004128735.tif 000005
【図４】
2004128735.tif 000006
【図５】
2004128735.tif 000007
【図６】
2004128735.tif 000008
【図７】
2004128735.tif 000009
【図８】
2004128735.tif 000010